(57)【特許請求の範囲】
【請求項１】
側壁部の互いに相対向する一側と他側との両側に縦方向に延びる第１縦曲げ部と、第１縦曲げ部の上下の端部あるいは端部近傍と対応する高さにおいて横方向に延びる第１横曲げ部と、上下の第１横曲げ部の間に横方向に延びる第２横曲げ部とを備え、上部第１横曲げ部と第２横曲げ部との間の上下方向の長さＡと上部第１横曲げ部と側壁部上端と間の上下方向の長さＢと底部の下部第１横曲げ部と直交する幅方向長さＣとが、Ａ−Ｂ＜Ｃ＜Ａの関係であることを特徴とする折り畳み容器。
【発明の詳細な説明】
【０００１】
【発明の属する技術分野】
本発明は内容物消費後の廃棄回収時に小さく折り畳んで、その折り畳み状態を保持して嵩張ることのない容器に関する。
【０００２】
【従来の技術】
従来、各種飲料や調味料、洗剤、シャンプー等の内容物を充填して保存したり供給するため種々の容器が用いられており、特に軽量で衝撃に強いといった利点を有する合成樹脂製容器が用いられている。
【０００３】
これらの合成樹脂製容器は主にブロー成形で製造され、注出口部には内容物を充填するときの機械適性、キャッピング適性等の為に充分な剛性が必要とされ、底部には自立安定性、落下衝撃に耐えうる強度が要求される。一方、胴部は内容物の保存性や排出性、内容物充填後の減圧に対する強度、積載の為の座屈強度などが必要な品質特性であるが、通常胴部は口部や底部よりも薄肉に製造される。
【０００４】
ところが内容物消費後の廃棄回収の際に合成樹脂製容器を押し潰しても、合成樹脂の弾性により元の状態に復元したり、折り畳みや圧縮が困難で容量が小さくなりにくく嵩張るため、輸送、保管に不便である。
【０００５】
そのため特開平１０−３１６１４０のように胴部に折り曲げ用曲げ部を設け、胴部を容器内側に折り込んで厚み方向に縮小させた後に肩部と底部とを折り曲げることによって容量を小さくする合成樹脂製容器が提案されている。
【０００６】
また、特開平７−５２９３４のように、折り畳み後の折り畳み状態を保持する手段として、口部に係合させるためのリング状の係合部を底部に連接するボトル状容器が提案されている。
【０００７】
【発明が解決しようとする課題】
ところが、上記特開平１０−３１６１４０の合成樹脂容器は、合成樹脂の弾性により元の状態に復元しやすく、折り畳み状態を保持することが困難である。また、厚み方向には縮小するが、高さ方向はほとんど変わらず、幅方向は縮小されないので、扁平状にはなるが嵩張りを減少させる効果が乏しかった。
【０００８】
また、上記特開平７−５２９３４のボトル状容器は、折り畳み状態は保持できるが、特別な部材を設けねばならず、コスト高である。
【０００９】
本発明はこのような問題点を鑑みてなされたものであって、内容物消費後の廃棄回収の際に、容易に小さく折り畳んでコンパクトにすることができ、しかもその折り畳み状態を特別な部材を設けることなく保持できるようにした容器を提供することを目的とするものである。
【００１０】
【課題を解決するための手段】
本発明は、側壁部の互いに相対向する一側と他側との両側に縦方向に延びる第１縦曲げ部と、第１縦曲げ部の上下の端部あるいは端部近傍と対応する高さにおいて横方向に延びる第１横曲げ部と、上下の第１横曲げ部の間に横方向に延びる第２横曲げ部とを備え、上部第１横曲げ部と第２横曲げ部との間の上下方向の長さＡと上部第１横曲げ部と側壁部上端と間の上下方向の長さＢと底部の下部第１横曲げ部と直交する幅方向長さＣとが、Ａ−Ｂ＜Ｃ＜Ａの関係であることを特徴とする折り畳み容器としたものである。
【００１７】
【発明の実施の形態】
本発明の実施の形態について説明する。図１は本発明の一実施の形態にかかるポリエチレン樹脂をブロー成形して成る合成樹脂製容器１である。合成樹脂製容器１の胴部２は側壁部３、肩部４、底部５から成る直方体状で、肩部４には注出口部６が立設される。胴部２の側壁部３は、正面７、背面８、側面９から構成される。側面９の中央を縦方向に延びる第１縦曲げ部１０が形成され、正面７及び背面８には、第１縦曲げ部１０の上下の端部１１、１１と対応する高さにおいて横方向に延びる上下の第１横曲げ部１２、１３が形成され、正面７及び背面８の上下の第１横曲げ部１２、１３の間に横方向に延びる第２横曲げ部１４が形成される。
【００１８】
第１縦曲げ部１０と第１横曲げ部１２、１３との間の隅角部１５には第２縦曲げ部１６が縦方向に延びる。
【００１９】
第１縦曲げ部１０の上下の端部１１、１１から両側に斜め方向に延びるＶ字状の斜め曲げ部１７、１７が形成される。
【００２０】
第１縦曲げ部１０の上方に第３横曲げ部１８が形成され、第３横曲げ部１８は側壁部３上端に位置する。
【００２１】
本実施例においては、第１横曲げ部１２、１３及び第２横曲げ部１４は隅角部１５を越えて側面９まで延長されている。
【００２２】
なお、それぞれの曲げ部は容器内側に突出したリブ構造であり、容易に曲げ癖を付けることが可能である。
【００２３】
次に、図１の合成樹脂製容器１をそれぞれの曲げ部に沿って折り畳んでいく状態を示す。まず、図１の状態から正面７及び背面８を容器内方に折り込むと、図２に示すように、第１縦曲げ部１０に沿って側面９が内側に折り込まれ側壁部３は扁平状となり、次いで上下の第１横曲げ部１２、１３に沿って肩部４と底部５とを互いに向き合うように正面７側に折り込む。更に、図３に示すように、略同一直線上に存在する上記第２縦曲げ部１６と上記第３横曲げ部１８に沿って側面９を背面８側に折り曲げると、図４に示すような折り畳み状態となる。最後に、第２横曲げ部１４に沿って側壁部３を更に正面側７に折り曲げる。この時、接地部１９が第２横曲げ部１４に当接して、第２横曲げ部１４を屈曲部として側壁部３及び底部５が反転する。そして、肩部４と側壁部３との間には空隙２０が形成され、この空隙２０に底部５を差し込み、図５に示すように折り畳み状態を保持する。この時、折り曲げられた側面９は、上記した側壁部３及び底部５の反転に伴って更に背面８側に折り込まれ、さらに空隙２０に底部５が差し込まれたまま保持されるため、小さく折り畳むことができ、かつ、弾性復元することが防止される。
【００２４】
なお、図６に示すように、上部第１横曲げ部１２と第２横曲げ部１４との間の上下方向の長さＡ、上部第１横曲げ部１２と側壁部３上端と間の上下方向の長さＢ、及び底部５の下部第１横曲げ部１３と直交する幅方向長さＣが、
Ａ＜Ｂ＋Ｃ
の関係であると、底部５は空隙２０内に収まり、折り畳み状態を保持するのに良好である。
【００２５】
また、上部第１横曲げ部１２と第２横曲げ部１４との間の上下方向の長さＡ、上部第１横曲げ部１２と側壁部３上端と間の上下方向の長さＢ、底部５の下部第１横曲げ部１３と直交する幅方向長さＣとが、
Ａ−Ｂ＜Ｃ＜Ａ
の関係であると、少なくとも底部５の先端は空隙２０内に収まり、折り畳み状態を保持することができる。
【００２６】
さらに、接地部１９と下部第１横曲げ部１３との間の上下方向の長さＤと、下部第１横曲げ部１３と前記第２横曲げ部１４との間の上下方向の長さＥとが等しいと、図４に示すように下部第１横曲げ部１３に沿って折り曲げた後、第２横曲げ部１４に沿って側壁部３を正面側７に折り曲げる際に、接地部１９が第２横曲げ部１４に当接して、第２横曲げ部１４を屈曲部として側壁部３及び底部５が反転するので、折り畳み易くなる。
【００２７】
従って、このような合成樹脂製容器１を内容物消費後に廃棄する際に曲げ部に沿って折り畳んでいくと、容易に小さく折り畳むことができ、かつ、折り畳みによって生じる胴部の空隙を活用して折り畳み状態を保持することができるので、元の状態に復元せずにコンパクトな状態で廃棄することができ、廃棄容器の保管スペースを少なくできる。
【００２８】
なお、合成樹脂製容器１の折り畳み易さを考慮すると、第２縦曲げ部１６、斜め曲げ部１７、及び第３横曲げ部１８曲げ部が形成されていることが好ましい。
【００２９】
胴部２は直方体状のみならず、立方体状や、横断面が多角形、楕円形、円形の筒状のものであっても良い。胴部２が横断面角形の場合、折り畳み易さを考慮すると第２縦曲げ部１６は隅角部に設けることが好ましい。
【００３０】
また、本実施例の各々の曲げ部は、容器内側に突出したリブ構造であるが、逆に外側に突出したリブ構造であっても良く、また薄肉としても良い。
【００３１】
図２乃至図４のそれぞれの折り畳み段階において、凹凸の係合手段等による各段階の折り畳み状態を保持する為の保持手段を設けても構わない。
【００３２】
なお、上記実施例では底部５を１回反転させるのみであるが、必要に応じて底部５を２回以上反転させて底部５を空隙２０内に納めるようにしても良く、このとき上下の第１横曲げ部１２、１３の間には、底部５の反転屈曲部となる第２横曲げ部１４が複数設けられても良い。
【００３３】
さらに、容器に折り畳み順序を示す番号、矢印等の印刷、刻印等を施しても良い。
【００３４】
容器の材料としては、ポリプロピレン、ポリエチレンテレフタレート、ポリエチレン、ポリ塩化ビニル、ポリ塩化ビニリデン等の各種合成樹脂を主成分とするものが挙げられるが、折り畳み易さを考慮すると柔軟性に優れた低密度ポリエチレンあるいは低密度ポリエチレンと高密度ポリエチレンの混合が好ましい。また、容器は単層あるいは多層であり、各層に酸素吸収剤や接着剤等をブレンドしても良い。多層の場合、中間層にエチレン・ビニルアルコール共重合体等のガスバリアー層や接着剤層を介在させても良い。
【００３５】
【本発明の効果】
本発明の容器を内容物消費後に廃棄する際に、容器に形成された曲げ部に沿って折り畳んでいくと容易に小さく折り畳むことができ、かつ、折り畳み状態を保持することができるので、元の状態に復元せずにコンパクトな状態で廃棄することができ、廃棄容器の保管スペースを少なくできる。
【００３６】
また、折り畳み段階で胴部に生じた空隙を利用して折り畳み状態を保持するので特別な保持部材が不要であり、製造が容易で、かつ、原料の使用量が少なく済み、コストを抑えることが可能である。
【図面の簡単な説明】
【図１】本発明の一実施例の合成樹脂製容器を示す斜視図。
【図２】図１の合成樹脂製容器の折り畳み状態を示す斜視図。
【図３】図１の合成樹脂製容器の折り畳み状態を示す斜視図。
【図４】図１の合成樹脂製容器の折り畳み状態を示す斜視図。
【図５】図１の合成樹脂製容器の折り畳み状態を示す斜視図。
【図６】図１の合成樹脂製容器の折り畳み状態を示す側面図。
【符号の説明】
１  合成樹脂製容器
２  胴部
３  側壁部
４  肩部
５  底部
６  注出口部
７  正面
８  背面
９  側面
１０  第１縦曲げ部
１１  端部
１２  第１横曲げ部（上部）
１３  第１横曲げ部（下部）
１４  第２横曲げ部
１５  隅角部
１６  第２縦曲げ部
１７  斜め曲げ部
１８  第３横曲げ部
１９  接地部
２０  空隙
【図１】
0004654540.tif 000002
【図２】
0004654540.tif 000003
【図３】
0004654540.tif 000004
【図４】
0004654540.tif 000005
【図５】
0004654540.tif 000006
【図６】
0004654540.tif 000007